(57)【特許請求の範囲】
【請求項１】
コンテンツ配信事業者のコンテンツを保持するコンテンツサーバと、情報を送受信する端末と、前記端末側に存在し、情報を送受信する周辺機器と、ユーザ情報と前記周辺機器情報、コンテンツ情報、前記端末情報および前記情報に対応付けられた広告コンテンツとを格納する個人情報サーバと、広告事業者が管理する広告サーバと、を備える広告配信システムであって、
前記コンテンツサーバは、
前記広告サーバにコンテンツを送信する第１の送信手段と、
前記広告サーバから広告を配信するタイミングを埋め込んだコンテンツを受信する第１の受信手段と、
前記端末からコンテンツのダウンロード要求を受信し、前記広告を配信するタイミングを埋め込んだコンテンツのダウンロードを許可するダウンロード許可手段と、
を備え、
前記端末は、
前記コンテンツサーバから前記広告を配信するタイミングを埋め込んだコンテンツのダウンロードをするダウンロード手段と、
前記周辺機器にコンテンツＩＤと端末ＩＤとともにコンテンツの起動通知を行う通知手段と、
を備え、
前記周辺機器は、
前記広告サーバにコンテンツＩＤと端末ＩＤと自己のＩＤとともにコンテンツの起動通知を送信する第２の送信手段と、
前記広告サーバから所定のタイミングで広告コンテンツを受信する第２の受信手段と、
該受信した広告コンテンツを表示する表示手段と、
を備え、
前記広告サーバは、
前記コンテンツサーバに広告を配信するタイミングを埋め込んだコンテンツを送信する第３の送信手段と、
受信したコンテンツＩＤと端末ＩＤと前記周辺機器のＩＤとに基づいて前記個人情報サーバから広告コンテンツを検索する検索手段と、
該検索した広告コンテンツを前記周辺機器に送信する第４の送信手段と、
を備えることを特徴とする広告配信システム。
【請求項２】
前記周辺機器が複数ある場合に、前記端末の通知手段は、すべての前記周辺機器にコンテンツの起動通知を行い、すべての前記周辺機器は、前記広告サーバに対して、コンテンツＩＤと端末ＩＤと自己のＩＤとを送信することを特徴とする請求項１に記載の広告配信システム。
【請求項３】
前記広告サーバは、前記コンテンツサーバに広告を配信するタイミングをプログラムステップ中の所定のポイントとして埋め込み、前記端末の通知手段は、さらに、前記プログラムステップ中の所定のポイント番号を通知し、前記周辺機器の第２の送信手段は、さらに、前記プログラムステップ中の所定のポイント番号を送信することを特徴とする請求項１に記載の広告配信システム。
【請求項４】
コンテンツ配信事業者のコンテンツを保持するコンテンツサーバと、周辺機器サーバと、周辺機器と、ユーザ情報と前記周辺機器ごとの情報、コンテンツ情報および前記情報に対応付けられた広告コンテンツとを格納する個人情報サーバと、広告事業者が管理する広告サーバと、を備える広告配信システムであって、
前記コンテンツサーバは、
前記広告サーバにコンテンツを送信するとともに、該コンテンツに前記周辺機器ごとに最適な広告コンテンツを埋め込む要求を送信する第１の送信手段と、
前記広告サーバから前記周辺機器ごとに最適な広告コンテンツを埋め込んだコンテンツを受信する第１の受信手段と、
周辺機器サーバから前記周辺機器ごとに最適な広告コンテンツを埋め込んだコンテンツのダウンロード要求を受信し、前記周辺機器ごとに最適な広告コンテンツを埋め込んだコンテンツのダウンロードを許可するダウンロード許可手段と、
を備え、
前記周辺機器サーバは、
前記コンテンツサーバから前記周辺機器ごとに最適な広告コンテンツを埋め込んだコンテンツをダウンロードするダウンロード手段と、
周辺機器にコンテンツＩＤと前記周辺機器サーバのＩＤと自己のＩＤとを前記広告サーバに通知するよう指示する指示手段と、
を備え、
前記周辺機器は、
前記広告サーバにコンテンツＩＤと前記周辺機器サーバのＩＤと自己のＩＤとを送信する第２の送信手段と、
前記広告サーバから広告コンテンツを受信する第２の受信手段と、
該受信した広告コンテンツを表示する表示手段と、
を備え、
前記広告サーバは、
前記コンテンツサーバに前記周辺機器ごとに最適な広告コンテンツを埋め込んだコンテンツを送信する第３の送信手段と、
受信したコンテンツＩＤと周辺機器サーバのＩＤと前記周辺機器のＩＤとに基づいて前記個人情報サーバから前記周辺機器ごとに最適な広告コンテンツを検索する検索手段と、
該検索した広告コンテンツをそれぞれの周辺機器に送信する第４の送信手段と、
を備えることを特徴とする広告配信システム。
【請求項５】
コンテンツ配信事業者のコンテンツを保持するコンテンツサーバと、周辺機器サーバと、周辺機器と、ユーザ情報と前記周辺機器ごとの情報、コンテンツ情報および前記情報に対応付けられた広告コンテンツとを格納する個人情報サーバと、広告事業者が管理する広告サーバと、を備える広告配信システムであって、
前記コンテンツサーバは、
前記広告サーバにコンテンツを送信するとともに、該コンテンツに前記周辺機器ごとに最適な広告コンテンツを埋め込む要求を送信する第１の送信手段と、
前記広告サーバから前記周辺機器ごとに最適な広告コンテンツを埋め込んだコンテンツを受信する第１の受信手段と、
前記周辺機器サーバからコンテンツのダウンロード要求を受信し、前記周辺機器ごとに最適な広告コンテンツを埋め込んだコンテンツのダウンロードを許可するダウンロード許可手段と、
を備え、
前記周辺機器サーバは、
前記コンテンツサーバから前記周辺機器ごとに最適な広告コンテンツを埋め込んだコンテンツをダウンロードするダウンロード手段と、
該ダウンロードしたコンテンツをアプリケーションに埋め込む埋め込み手段と、
前記各周辺機器に自己のサーバアドレス情報を送信する第２の送信手段と、
前記各周辺機器からのアクセス要求に対して、コンテンツを埋め込んだアプリケーションを送信する第３の送信手段と、
を備え、
前記周辺機器は、
前記周辺機器サーバのサーバアドレスにアクセスし、コンテンツを埋め込んだアプリケーションを受信する第２の受信手段と、
該受信したアプリケーション内の広告コンテンツを表示する表示手段と、
を備え、
前記広告サーバは、
前記コンテンツサーバに前記周辺機器ごとに最適な広告コンテンツを埋め込んだコンテンツを送信する第４の送信手段と、
受信したコンテンツＩＤと周辺機器サーバのＩＤと前記周辺機器のＩＤとに基づいて前記個人情報サーバから前記周辺機器ごとに最適な広告コンテンツを検索する検索手段と、
該検索した広告コンテンツをそれぞれの周辺機器に送信する第５の送信手段と、
を備えることを特徴とする広告配信システム。
【請求項６】
アプリケーション配信事業者のアプリケーションを保持するアプリケーションサーバと、周辺機器サーバと、周辺機器と、前記周辺機器ごとの情報、コンテンツ情報および前記情報に対応付けられた広告コンテンツとを格納する個人情報サーバと、広告事業者が管理する広告サーバと、を備える広告配信システムであって、
前記アプリケーションサーバは、
前記広告サーバにアプリケーションを送信するとともに、該アプリケーションプログラムの特定のステップにポイントを埋め込む要求を送信する第１の送信手段と、
前記広告サーバから前記アプリケーションプログラムの特定のステップにポイントを埋め込んだアプリケーションを受信する第１の受信手段と、
周辺機器サーバから前記アプリケーションプログラムの特定のステップにポイントを埋め込んだアプリケーションのダウンロード要求を受信し、前記周辺機器ごとに該アプリケーションのダウンロードを許可するダウンロード許可手段と、
を備え、
前記周辺機器サーバは、
前記アプリケーションサーバから前記アプリケーションプログラムの特定のステップにポイントを埋め込んだアプリケーションをダウンロードするダウンロード手段と、
前記アプリケーション起動時に、ハードウェアスキャンにより、前記周辺機器のＩＤを取得するＩＤ取得手段と、
該取得した前記周辺機器のＩＤを前記広告サーバに通知する通知手段と、
前記広告サーバから前記周辺機器ごとのＩＤと前記ポイント情報とを受信する第２の受信手段と、
周辺機器に自己のＩＤを前記広告サーバに通知するよう指示する指示手段と、
を備え、
前記周辺機器は、
前記周辺機器サーバの指示手段の指示に応じて、前記広告サーバに自己のＩＤを送信する第２の送信手段と、
前記広告サーバから広告コンテンツを受信する第３の受信手段と、
該受信した広告コンテンツを表示する表示手段と、
を備え、
前記広告サーバは、
前記アプリケーションサーバに前記周辺機器ごとのＩＤと前記ポイント情報を送信する第３の送信手段と、
前記周辺機器サーバから受信した前記周辺機器のＩＤに基づいて前記個人情報サーバから前記周辺機器ごとの広告コンテンツを検索する検索手段と、
前記周辺機器のＩＤとポイント情報とを関連付けた情報を生成し、前記周辺機器サーバに送信する第４の送信手段と、
を備えることを特徴とする広告配信システム。
【請求項７】
前記ＩＤ取得手段は、近距離無線により他の周辺機器のハードウェアスキャンを行うことを特徴とする請求項６に記載の広告配信システム。
【請求項８】
Ｗｅｂサーバと、情報を送受信する端末と、前記端末側に存在し、情報を送受信する周辺機器と、ユーザ情報と前記周辺機器情報、コンテンツ情報、前記端末情報および前記情報に対応付けられた広告コンテンツとを格納する個人情報サーバと、広告事業者が管理する広告サーバと、を備える広告配信システムであって、
前記Ｗｅｂサーバは、
前記広告サーバにコンテンツを送信する第１の送信手段と、
前記広告サーバから広告を配信するタイミングを埋め込んだコンテンツを受信する第１の受信手段と、
前記端末からコンテンツのダウンロード要求を受信し、前記広告を配信するタイミングを埋め込んだコンテンツのダウンロードを許可するダウンロード許可手段と、
を備え、
前記端末は、
前記Ｗｅｂサーバから前記広告を配信するタイミングを埋め込んだコンテンツのダウンロードをするダウンロード手段と、
前記周辺機器にコンテンツＩＤと端末ＩＤとともにコンテンツの起動通知を行う通知手段と、
を備え、
前記周辺機器は、
前記広告サーバにコンテンツＩＤと端末ＩＤと自己のＩＤとともにコンテンツの起動通知を送信する第２の送信手段と、
前記広告サーバから所定のタイミングで広告コンテンツを受信する第２の受信手段と、
該受信した広告コンテンツを表示する表示手段と、
を備え、
前記広告サーバは、
コンテンツサーバに広告を配信するタイミングを埋め込んだコンテンツを送信する第３の送信手段と、
受信したコンテンツＩＤと端末ＩＤと前記周辺機器のＩＤとに基づいて前記個人情報サーバから広告コンテンツを検索する検索手段と、
該検索した広告コンテンツを前記周辺機器に送信する第４の送信手段と、
を備えることを特徴とする広告配信システム。
【請求項９】
コンテンツ配信事業者のコンテンツを保持するコンテンツサーバと、情報を送受信する端末と、前記端末側に存在し、情報を送受信する周辺機器と、ユーザ情報と前記周辺機器情報、コンテンツ情報、前記端末情報および前記情報に対応付けられたクーポンとを格納する個人情報サーバと、広告事業者が管理する広告サーバと、を備える広告配信システムであって、
前記コンテンツサーバは、
前記広告サーバにコンテンツを送信する第１の送信手段と、
前記広告サーバからクーポンを配信するタイミングを埋め込んだコンテンツを受信する第１の受信手段と、
前記端末からコンテンツのダウンロード要求を受信し、前記クーポンを配信するタイミングを埋め込んだコンテンツのダウンロードを許可するダウンロード許可手段と、
を備え、
前記端末は、
前記コンテンツサーバから前記クーポンを配信するタイミングを埋め込んだコンテンツのダウンロードをするダウンロード手段と、
前記周辺機器にコンテンツＩＤと端末ＩＤとともにコンテンツの起動通知を行う通知手段と、
を備え、
前記周辺機器は、
前記広告サーバにコンテンツＩＤと端末ＩＤと自己のＩＤとともにコンテンツの起動通知を送信する第２の送信手段と、
前記広告サーバから所定のタイミングでクーポンを受信する第２の受信手段と、
該受信したクーポンを表示する表示手段と、
を備え、
前記広告サーバは、
前記コンテンツサーバにクーポンを配信するタイミングを埋め込んだコンテンツを送信する第３の送信手段と、
受信したコンテンツＩＤと端末ＩＤと前記周辺機器のＩＤとに基づいて前記個人情報サーバから広告コンテンツを検索する検索手段と、
該検索したクーポンを前記周辺機器に送信する第４の送信手段と、
を備えることを特徴とする広告配信システム。
【請求項１０】
コンテンツ配信事業者のコンテンツを保持するコンテンツサーバと、第３者が保有する端末と、周辺機器サーバと、周辺機器と、ユーザ情報と前記周辺機器ごとの情報、コンテンツ情報および前記情報に対応付けられた広告コンテンツとを格納する個人情報サーバと、広告事業者が管理する広告サーバと、を備える広告配信システムであって、
前記端末は、
前記広告サーバに前記周辺機器サーバのＩＤと推奨する広告コンテンツを登録する登録手段を備え、
前記コンテンツサーバは、
前記広告サーバにコンテンツを送信するとともに、該コンテンツに前記広告コンテンツを埋め込む要求を送信する第１の送信手段と、
前記広告サーバから前記推奨された広告コンテンツを埋め込んだコンテンツを受信する第１の受信手段と、
周辺機器サーバから前記推奨された広告コンテンツを埋め込んだコンテンツのダウンロード要求を受信し、前記推奨された広告コンテンツを埋め込んだコンテンツのダウンロードを許可するダウンロード許可手段と、
を備え、
前記周辺機器サーバは、
前記コンテンツサーバから前記推奨された広告コンテンツを埋め込んだコンテンツをダウンロードするダウンロード手段と、
周辺機器にコンテンツＩＤと前記周辺機器サーバのＩＤと自己のＩＤとを前記広告サーバに通知するよう指示する指示手段と、
を備え、
前記周辺機器は、
前記広告サーバにコンテンツＩＤと前記周辺機器サーバのＩＤと自己のＩＤとを送信する第２の送信手段と、
前記広告サーバから広告コンテンツを受信する第２の受信手段と、
該受信した広告コンテンツを表示する表示手段と、
を備え、
前記広告サーバは、
前記コンテンツサーバに前記推奨された広告コンテンツを埋め込んだコンテンツを送信する第３の送信手段と、
受信したコンテンツＩＤと周辺機器サーバのＩＤと前記周辺機器のＩＤおよび前記推奨された広告コンテンツとに基づいて前記個人情報サーバから前記周辺機器を検索する検索手段と、
該検索した周辺機器に前記推奨された広告コンテンツを送信する第４の送信手段と、
を備えることを特徴とする広告配信システム。
【請求項１１】
コンテンツ配信事業者のコンテンツを保持するコンテンツサーバと、情報を送受信する端末と、前記端末側に存在し、情報を送受信する周辺機器と、ユーザ情報と前記周辺機器情報、コンテンツ情報、前記端末情報および前記情報に対応付けられた広告コンテンツとを格納する個人情報サーバと、広告事業者が管理する広告サーバと、を備える広告配信システムにおける広告配信方法であって、
前記コンテンツサーバが、前記広告サーバにコンテンツを送信する第１のステップと、
前記広告サーバが、前記コンテンツサーバに広告を配信するタイミングを埋め込んだコンテンツを送信する第２のステップと、
前記端末が、前記コンテンツサーバから前記広告を配信するタイミングを埋め込んだコンテンツのダウンロードをする第３のステップと、
前記端末が、前記周辺機器にコンテンツＩＤと端末ＩＤとともにコンテンツの起動通知を行う第４のステップと、
前記周辺機器が、前記広告サーバにコンテンツＩＤと端末ＩＤと自己のＩＤとともにコンテンツの起動通知を送信する第５のステップと、
前記広告サーバが、受信したコンテンツＩＤと端末ＩＤと前記周辺機器のＩＤとに基づいて前記個人情報サーバから広告コンテンツを検索する第６のステップと、
前記周辺機器が、前記広告サーバから所定のタイミングで広告コンテンツを受信する第７のステップと、
前記周辺機器が、該受信した広告コンテンツを表示する第８のステップと、
を備えることを特徴とする広告配信方法。
【請求項１２】
コンテンツ配信事業者のコンテンツを保持するコンテンツサーバと、情報を送受信する端末と、前記端末側に存在し、情報を送受信する周辺機器と、ユーザ情報と前記周辺機器情報、コンテンツ情報、前記端末情報および前記情報に対応付けられた広告コンテンツとを格納する個人情報サーバと、広告事業者が管理する広告サーバと、を備える広告配信システムにおける広告配信方法をコンピュータに実行させるためのプログラムであって、
前記コンテンツサーバが、前記広告サーバにコンテンツを送信する第１のステップと、
前記広告サーバが、前記コンテンツサーバに広告を配信するタイミングを埋め込んだコンテンツを送信する第２のステップと、
前記端末が、前記コンテンツサーバから前記広告を配信するタイミングを埋め込んだコンテンツのダウンロードをする第３のステップと、
前記端末が、前記周辺機器にコンテンツＩＤと端末ＩＤとともにコンテンツの起動通知を行う第４のステップと、
前記周辺機器が、前記広告サーバにコンテンツＩＤと端末ＩＤと自己のＩＤとともにコンテンツの起動通知を送信する第５のステップと、
前記広告サーバが、受信したコンテンツＩＤと端末ＩＤと前記周辺機器のＩＤとに基づいて前記個人情報サーバから広告コンテンツを検索する第６のステップと、
前記周辺機器が、前記広告サーバから所定のタイミングで広告コンテンツを受信する第７のステップと、
前記周辺機器が、該受信した広告コンテンツを表示する第８のステップと、
をコンピュータに実行させるためのプログラム。
【発明の詳細な説明】
【技術分野】
【０００１】
本発明は、周辺機器ごとに最適な広告を配信する広告配信システム、広告配信方法およびプログラムに関する。
【背景技術】
【０００２】
従来のネット家電に対する広告配信システムは、公衆回線網（ＰＳＴＮ、ＩＳＤＮ、各無線通信網等）およびインターネットを含むネットワークによって各家庭の家電機器と広告管理サーバが接続され、広告管理サーバに登録されたユーザの所有する家電機器に対し広告情報を配信して表示出力させるサービスを提供する。また広告管理サーバに接続されたデータベースには、配信すべき広告情報、ユーザ情報、ユーザの保有する家電機器情報を登録し、家電機器情報は、「冷蔵庫」や「電子レンジ」等の製品分類ごとにユーザ情報とひも付けされて登録されるとともに、家電機器ごとに形式、シリアル番号、その特徴情報（冷蔵庫であれば、大型タイプ、小型タイプ等）が登録され、前記登録された情報を検索して広告情報を要求した家電機器に対して、家電機器の形式やユーザ情報を考慮して、送信する広告情報を選択して配信を行っている。
【０００３】
ところが、従来の広告配信システムでは、家電機器の形式やユーザ情報に基づき最適でかつ有用であろう広告情報を配信させることはできるが、広告主が伝えたいタイミングで効果的に広告情報をユーザに印象づけることは難しい。例えば○○スーパーで１０月１日１７―１８時に特売情報を流し効果的にユーザに広告内容を伝えたい場合、前記特売が行われる時間帯の直前から指定時間まで広告情報の提供を行いたいが、報知時刻情報、報知時間情報や各家電を同時に同じ広告を報知させる情報等がサーバ装置より送信されないので、ユーザに対し広告内容を適切なタイミングでかつ効果的に伝えることができないという問題があった。また、家電機器に指定の時刻に同報送信する方法が可能であるが、同じ情報を個々に送信するようになり通信回線上のトラフィックに負担をかけるという問題があった。そのため、通信回線上の負荷を上げることなく、広告情報の内容を適切なタイミングでかつユーザに効果的に伝達し、広告配信の価値および広告発信者とユーザへのサービス性を高めることを目的とした広告配信システムが開示されている（例えば、特許文献１参照。）。
【先行技術文献】
【特許文献】
【０００４】
【特許文献１】特開２００４−２４０９１５号公報
【発明の概要】
【発明が解決しようとする課題】
【０００５】
上記の従来技術では、広告を一斉配信することにより、単一の機器に対する広告配信においては、ユーザの日常生活において目につきにくいという問題を解決している。しかしながら、ユーザや機器向けに最適化されておらず、適切なタイミングでの配信ではないという問題がある。
【０００６】
また、例えば、携帯端末内で動作するアプリケーションがあり、その中で表示する広告を埋め込んで、配信するプラットフォームが知られている。このようにすることで、アプリケーションを購入した消費者は、ときに有用な情報を得ることができ、広告主は多くのユーザの目に触れるところに広告を配信し、購買行動を誘引できる。また、アプリケーションのデベロッパーは、広告主から一定の利益を受け取ることで、作成したアプリケーションのサービス化を図ることができ、一定の収益を享受することができるというメリットがある。
【０００７】
ところが、現状のアプリケーション内広告においては、ユーザへの提示場所がアプリケーションを動作させる端末内に限定されるため、ＳＴＢやフォトフレーム等の家電機器のコンテンツ販売に直接に結びつくことができない。そのため、ＳＴＢのアプリと端末のアプリを作成したデベロッパーは、お互いを結びつけた広告を例えば端末アプリ内に埋め込んだとしても、結びつきが弱く、購買行動へ結びつきにくいという欠点があった。また、表示できる広告はアプリケーションの動作を妨げない範囲での広告に限られることになるため、サイズが大きい広告やユーザとの高度なインタラクションをとる広告を配信することができず、上記メリットに一定の制限がかかることになる。
【０００８】
そこで、本発明は、上述の課題に鑑みてなされたものであり、アプリケーションを動作させる機器以外の、周辺に存在する機器を使用して広告を表示し、さらに、家庭内の機器構成にあわせて広告内容を最適化する広告配信システム、広告配信方法およびプログラムを提供することを目的とする。
【課題を解決するための手段】
【０００９】
本発明は、上記の課題を解決するために、以下の事項を提案している。
【００１０】
（１）本発明は、コンテンツ配信事業者のコンテンツを保持するコンテンツサーバと、情報を送受信する端末と、前記端末側に存在し、情報を送受信する周辺機器と、ユーザ情報と前記周辺機器情報、コンテンツ情報、前記端末情報および前記情報に対応付けられた広告コンテンツとを格納する個人情報サーバと、広告事業者が管理する広告サーバと、を備える広告配信システムであって、前記コンテンツサーバは、前記広告サーバにコンテンツを送信する第１の送信手段と、前記広告サーバから広告を配信するタイミングを埋め込んだコンテンツを受信する第１の受信手段と、前記端末からコンテンツのダウンロード要求を受信し、前記広告を配信するタイミングを埋め込んだコンテンツのダウンロードを許可するダウンロード許可手段と、を備え、前記端末は、前記コンテンツサーバから前記広告を配信するタイミングを埋め込んだコンテンツのダウンロードをするダウンロード手段と、前記周辺機器にコンテンツＩＤと端末ＩＤとともにコンテンツの起動通知を行う通知手段と、を備え、前記周辺機器は、前記広告サーバにコンテンツＩＤと端末ＩＤと自己のＩＤとともにコンテンツの起動通知を送信する第２の送信手段と、前記広告サーバから所定のタイミングで広告コンテンツを受信する第２の受信手段と、該受信した広告コンテンツを表示する表示手段と、を備え、前記広告サーバは、前記コンテンツサーバに広告を配信するタイミングを埋め込んだコンテンツを送信する第３の送信手段と、受信したコンテンツＩＤと端末ＩＤと前記周辺機器のＩＤとに基づいて前記個人情報サーバから広告コンテンツを検索する検索手段と、該検索した広告コンテンツを前記周辺機器に送信する第４の送信手段と、を備えることを特徴とする広告配信システムを提案している。
【００１１】
この発明によれば、コンテンツサーバの第１の送信手段は、広告サーバにコンテンツを送信する。第１の受信手段は、広告サーバから広告を配信するタイミングを埋め込んだコンテンツを受信する。ダウンロード許可手段は、端末からコンテンツのダウンロード要求を受信し、広告を配信するタイミングを埋め込んだコンテンツのダウンロードを許可する。端末のダウンロード手段は、コンテンツサーバから広告を配信するタイミングを埋め込んだコンテンツのダウンロードをする。通知手段は、周辺機器にコンテンツＩＤと端末ＩＤとともにコンテンツの起動通知を行う。周辺機器の第２の送信手段は、広告サーバにコンテンツＩＤと端末ＩＤと自己のＩＤとともにコンテンツの起動通知を送信する。第２の受信手段は、広告サーバから所定のタイミングで広告コンテンツを受信する。表示手段は、受信した広告コンテンツを表示する。広告サーバの第３の送信手段は、コンテンツサーバに広告を配信するタイミングを埋め込んだコンテンツを送信する。検索手段は、受信したコンテンツＩＤと端末ＩＤと周辺機器のＩＤとに基づいて個人情報サーバから広告コンテンツを検索する。第４の送信手段は、検索した広告コンテンツを前記周辺機器に送信する。したがって、ユーザが実行するコンテンツに広告表示機能を埋め込むことにより、アプリケーションを動作させる機器以外の、周辺に存在する機器を使用して広告を表示することができる。
【００１２】
（２）本発明は、（１）の広告配信システムについて、前記周辺機器が複数ある場合に、前記端末の通知手段は、すべての前記周辺機器にコンテンツの起動通知を行い、すべての前記周辺機器は、前記広告サーバに対して、コンテンツＩＤと端末ＩＤと自己のＩＤとを送信することを特徴とする広告配信システムを提案している。
【００１３】
この発明によれば、周辺機器が複数ある場合に、端末の通知手段は、すべての周辺機器にコンテンツの起動通知を行い、すべての周辺機器は、広告サーバに対して、コンテンツＩＤと端末ＩＤと自己のＩＤとを送信する。したがって、周辺機器が複数ある場合に、各周辺機器に最適な広告を表示することができる。
【００１４】
（３）本発明は、（１）の広告配信システムについて、前記広告サーバは、前記コンテンツサーバに広告を配信するタイミングをプログラムステップ中の所定のポイントとして埋め込み、前記端末の通知手段は、さらに、前記プログラムステップ中の所定のポイント番号を通知し、前記周辺機器の第２の送信手段は、さらに、前記プログラムステップ中の所定のポイント番号を送信することを特徴とする広告配信システムを提案している。
【００１５】
この発明によれば、広告サーバは、コンテンツサーバに広告を配信するタイミングをプログラムステップ中の所定のポイントとして埋め込み、端末の通知手段は、さらに、プログラムステップ中の所定のポイント番号を通知し、周辺機器の第２の送信手段は、さらに、プログラムステップ中の所定のポイント番号を送信する。したがって、コンテンツに埋め込まれたポイントごとに広告を表示することができる。
【００１６】
（４）本発明は、コンテンツ配信事業者のコンテンツを保持するコンテンツサーバと、周辺機器と、周辺機器サーバと、ユーザ情報と前記周辺機器ごとの情報、コンテンツ情報および前記情報に対応付けられた広告コンテンツとを格納する個人情報サーバと、広告事業者が管理する広告サーバと、を備える広告配信システムであって、前記コンテンツサーバは、前記広告サーバにコンテンツを送信するとともに、該コンテンツに前記周辺機器ごとに最適な広告コンテンツを埋め込む要求を送信する第１の送信手段と、前記広告サーバから前記周辺機器ごとに最適な広告コンテンツを埋め込んだコンテンツを受信する第１の受信手段と、前記周辺機器サーバから前記周辺機器ごとに最適な広告コンテンツを埋め込んだコンテンツのダウンロード要求を受信し、前記周辺機器ごとに最適な広告コンテンツを埋め込んだコンテンツのダウンロードを許可するダウンロード許可手段と、を備え、前記周辺機器サーバは、前記コンテンツサーバから前記周辺機器ごとに最適な広告コンテンツを埋め込んだコンテンツをダウンロードするダウンロード手段と、前記周辺機器にコンテンツＩＤと前記周辺機器サーバのＩＤと自己のＩＤとを前記広告サーバに通知するよう指示する指示手段と、を備え、前記周辺機器は、前記広告サーバにコンテンツＩＤと前記周辺機器サーバのＩＤと自己のＩＤとを送信する第２の送信手段と、前記広告サーバから広告コンテンツを受信する第２の受信手段と、該受信した広告コンテンツを表示する表示手段と、を備え、前記広告サーバは、前記コンテンツサーバに前記周辺機器ごとに最適な広告コンテンツを埋め込んだコンテンツを送信する第３の送信手段と、受信したコンテンツＩＤと周辺機器サーバのＩＤと前記周辺機器のＩＤとに基づいて前記個人情報サーバから前記周辺機器ごとに最適な広告コンテンツを検索する検索手段と、該検索した広告コンテンツをそれぞれの周辺機器に送信する第４の送信手段と、を備えることを特徴とする広告配信システムを提案している。
【００１７】
この発明によれば、コンテンツサーバの第１の送信手段は、広告サーバにコンテンツを送信するとともに、コンテンツに周辺機器ごとに最適な広告コンテンツを埋め込む要求を送信する。第１の受信手段は、広告サーバから周辺機器ごとに最適な広告コンテンツを埋め込んだコンテンツを受信する。ダウンロード許可手段は、周辺機器サーバから周辺機器ごとに最適な広告コンテンツを埋め込んだコンテンツのダウンロード要求を受信し、周辺機器ごとに最適な広告コンテンツを埋め込んだコンテンツのダウンロードを許可する。周辺機器サーバのダウンロード手段は、コンテンツサーバから周辺機器ごとに最適な広告コンテンツを埋め込んだコンテンツをダウンロードする。指示手段は、周辺機器にコンテンツＩＤと周辺機器サーバのＩＤと自己のＩＤとを広告サーバに通知するよう指示する。周辺機器の第２の送信手段は、広告サーバにコンテンツＩＤと周辺機器サーバのＩＤと自己のＩＤとを送信する。第２の受信手段は、広告サーバから広告コンテンツを受信する。表示手段は、受信した広告コンテンツを表示する。広告サーバの第３の送信手段は、コンテンツサーバに周辺機器ごとに最適な広告コンテンツを埋め込んだコンテンツを送信する。検索手段は、受信したコンテンツＩＤと周辺機器サーバのＩＤと周辺機器のＩＤとに基づいて個人情報サーバから周辺機器ごとに最適な広告コンテンツを検索する。第４の送信手段は、検索した広告コンテンツをそれぞれの周辺機器に送信する。したがって、家庭内の周辺機器の構成を予め把握して、コンテンツに広告を埋め込むことにより、周辺機器ごとに最適な広告を表示することができる。
【００１８】
（５）本発明は、コンテンツ配信事業者のコンテンツを保持するコンテンツサーバと、通信機能を有し、利用者の家庭内にある周辺機器と、周辺機器サーバと、ユーザ情報と前記周辺機器ごとの情報、コンテンツ情報および前記情報に対応付けられた広告コンテンツとを格納する個人情報サーバと、広告事業者が管理する広告サーバと、を備える広告配信システムであって、前記コンテンツサーバは、前記広告サーバにコンテンツを送信するとともに、該コンテンツに前記周辺機器ごとに最適な広告コンテンツを埋め込む要求を送信する第１の送信手段と、前記広告サーバから前記周辺機器ごとに最適な広告コンテンツを埋め込んだコンテンツを受信する第１の受信手段と、前記周辺機器サーバからコンテンツのダウンロード要求を受信し、前記周辺機器ごとに最適な広告コンテンツを埋め込んだコンテンツのダウンロードを許可するダウンロード許可手段と、を備え、前記周辺機器サーバは、前記コンテンツサーバから前記周辺機器ごとに最適な広告コンテンツを埋め込んだコンテンツをダウンロードするダウンロード手段と、該ダウンロードしたコンテンツをアプリケーションに埋め込む埋め込み手段と、前記各周辺機器に自己のサーバアドレス情報を送信する第２の送信手段と、前記各周辺機器からのアクセス要求に対して、コンテンツを埋め込んだアプリケーションを送信する第３の送信手段と、を備え、前記周辺機器は、前記周辺機器サーバのサーバアドレスにアクセスし、コンテンツを埋め込んだアプリケーションを受信する第２の受信手段と、該受信したアプリケーション内の広告コンテンツを表示する表示手段と、を備え、前記広告サーバは、前記コンテンツサーバに前記周辺機器ごとに最適な広告コンテンツを埋め込んだコンテンツを送信する第４の送信手段と、受信したコンテンツＩＤと周辺機器サーバのＩＤと前記周辺機器のＩＤとに基づいて前記個人情報サーバから前記周辺機器ごとに最適な広告コンテンツを検索する検索手段と、該検索した広告コンテンツをそれぞれの周辺機器に送信する第５の送信手段と、を備えることを特徴とする広告配信システムを提案している。
【００１９】
この発明によれば、コンテンツサーバの第１の送信手段は、広告サーバにコンテンツを送信するとともに、コンテンツに周辺機器ごとに最適な広告コンテンツを埋め込む要求を送信する。第１の受信手段は、広告サーバから周辺機器ごとに最適な広告コンテンツを埋め込んだコンテンツを受信する。ダウンロード許可手段は、周辺機器サーバからコンテンツのダウンロード要求を受信し、周辺機器ごとに最適な広告コンテンツを埋め込んだコンテンツのダウンロードを許可する。周辺機器サーバのダウンロード手段は、コンテンツサーバから周辺機器ごとに最適な広告コンテンツを埋め込んだコンテンツをダウンロードする。埋め込み手段は、ダウンロードしたコンテンツをアプリケーションに埋め込む。第２の送信手段は、各周辺機器に自己のサーバアドレス情報を送信する。第３の送信手段は、各周辺機器からのアクセス要求に対して、コンテンツを埋め込んだアプリケーションを送信する。周辺機器の第２の受信手段は、周辺機器サーバのサーバアドレスにアクセスし、コンテンツを埋め込んだアプリケーションを受信する。表示手段は、受信したアプリケーション内の広告コンテンツを表示する。広告サーバの第４の送信手段は、コンテンツサーバに前記周辺機器ごとに最適な広告コンテンツを埋め込んだコンテンツを送信する。検索手段は、受信したコンテンツＩＤと周辺機器サーバのＩＤと周辺機器のＩＤとに基づいて個人情報サーバから周辺機器ごとに最適な広告コンテンツを検索する。第５の送信手段は、検索した広告コンテンツをそれぞれの周辺機器に送信する。したがって、家庭内の周辺機器の構成を予め把握し、アプリケーションに広告を埋め込むことにより、周辺機器ごとに最適な広告を表示することができるとともに、広告表示のスピードを早めることができる。
【００２０】
（６）本発明は、アプリケーション配信事業者のアプリケーションを保持するアプリケーションサーバと、周辺機器サーバと、周辺機器と、前記周辺機器ごとの情報、コンテンツ情報および前記情報に対応付けられた広告コンテンツとを格納する個人情報サーバと、広告事業者が管理する広告サーバと、を備える広告配信システムであって、前記アプリケーションサーバは、前記広告サーバにアプリケーションを送信するとともに、該アプリケーションプログラムの特定のステップにポイントを埋め込む要求を送信する第１の送信手段と、前記広告サーバから前記アプリケーションプログラムの特定のステップにポイントを埋め込んだアプリケーションを受信する第１の受信手段と、周辺機器サーバから前記アプリケーションプログラムの特定のステップにポイントを埋め込んだアプリケーションのダウンロード要求を受信し、前記周辺機器ごとに該アプリケーションのダウンロードを許可するダウンロード許可手段と、を備え、前記周辺機器サーバは、前記アプリケーションサーバから前記アプリケーションプログラムの特定のステップにポイントを埋め込んだアプリケーションをダウンロードするダウンロード手段と、前記アプリケーション起動時に、ハードウェアスキャンにより、前記周辺機器のＩＤを取得するＩＤ取得手段と、該取得した前記周辺機器のＩＤを前記広告サーバに通知する通知手段と、前記広告サーバから前記周辺機器ごとのＩＤと前記ポイント情報とを受信する第２の受信手段と、周辺機器に自己のＩＤを前記広告サーバに通知するよう指示する指示手段と、を備え、前記周辺機器は、前記周辺機器サーバの指示手段の指示に応じて、前記広告サーバに自己のＩＤを送信する第２の送信手段と、前記広告サーバから広告コンテンツを受信する第３の受信手段と、該受信した広告コンテンツを表示する表示手段と、を備え、前記広告サーバは、前記アプリケーションサーバに前記周辺機器ごとのＩＤと前記ポイント情報を送信する第３の送信手段と、前記周辺機器サーバから受信した前記周辺機器のＩＤに基づいて前記個人情報サーバから前記周辺機器ごとの広告コンテンツを検索する検索手段と、前記周辺機器のＩＤとポイント情報とを関連付けた情報を生成し、前記周辺機器サーバに送信する第４の送信手段と、を備えることを特徴とする広告配信システムを提案している。
【００２１】
この発明によれば、アプリケーションサーバの第１の送信手段は、広告サーバにアプリケーションを送信するとともに、アプリケーションプログラムの特定のステップにポイントを埋め込む要求を送信する。第１の受信手段は、広告サーバからアプリケーションプログラムの特定のステップにポイントを埋め込んだアプリケーションを受信する。ダウンロード許可手段は、周辺機器サーバからアプリケーションプログラムの特定のステップにポイントを埋め込んだアプリケーションのダウンロード要求を受信し、周辺機器ごとにアプリケーションのダウンロードを許可する。周辺機器サーバのダウンロード手段は、アプリケーションサーバからアプリケーションプログラムの特定のステップにポイントを埋め込んだアプリケーションをダウンロードする。ＩＤ取得手段は、アプリケーション起動時に、ハードウェアスキャンにより、周辺機器のＩＤを取得する。通知手段は、取得した周辺機器のＩＤを広告サーバに通知する。第２の受信手段は、広告サーバから周辺機器ごとのＩＤとポイント情報とを受信する。指示手段は、周辺機器に自己のＩＤを広告サーバに通知するよう指示する。周辺機器の第２の送信手段は、周辺機器サーバの指示手段の指示に応じて、広告サーバに自己のＩＤを送信する。第３の受信手段は、広告サーバから広告コンテンツを受信する。表示手段は、受信した広告コンテンツを表示する。広告サーバの第３の送信手段は、アプリケーションサーバに周辺機器ごとのＩＤとポイント情報を送信する。検索手段は、周辺機器サーバから受信した周辺機器のＩＤに基づいて個人情報サーバから周辺機器ごとの広告コンテンツを検索する。第４の送信手段は、周辺機器のＩＤとポイント情報とを関連付けた情報を生成し、周辺機器サーバに送信する。したがって、アプリケーションの起動時にハードウェアスキャンを行って、周辺機器を検索することにより、検索した周辺機器に最適な広告を表示することができる。
【００２２】
（７）本発明は、（６）の広告配信システムについて、前記ＩＤ取得手段は、近距離無線により他の周辺機器のハードウェアスキャンを行うことを特徴とする広告配信システムを提案している。
【００２３】
本発明によれば、ＩＤ取得手段は、近距離無線により他の周辺機器のハードウェアスキャンを行う。すなわち、例えば、Ｂｌｕｅｔｏｏｔｈ（登録商標）等の近距離無線を用いることにより、簡単な構成でハードウェアスキャンを実行することができる。
【００２４】
（８）本発明は、Ｗｅｂサーバと、情報を送受信する端末と、前記端末側に存在し、情報を送受信する周辺機器と、ユーザ情報と前記周辺機器情報、コンテンツ情報、前記端末情報および前記情報に対応付けられた広告コンテンツとを格納する個人情報サーバと、広告事業者が管理する広告サーバと、を備える広告配信システムであって、前記Ｗｅｂサーバは、前記広告サーバにコンテンツを送信する第１の送信手段と、前記広告サーバから広告を配信するタイミングを埋め込んだコンテンツを受信する第１の受信手段と、前記端末からコンテンツのダウンロード要求を受信し、前記広告を配信するタイミングを埋め込んだコンテンツのダウンロードを許可するダウンロード許可手段と、を備え、前記端末は、前記Ｗｅｂサーバから前記広告を配信するタイミングを埋め込んだコンテンツのダウンロードをするダウンロード手段と、前記周辺機器にコンテンツＩＤと端末ＩＤとともにコンテンツの起動通知を行う通知手段と、を備え、前記周辺機器は、前記広告サーバにコンテンツＩＤと端末ＩＤと自己のＩＤとともにコンテンツの起動通知を送信する第２の送信手段と、前記広告サーバから所定のタイミングで広告コンテンツを受信する第２の受信手段と、該受信した広告コンテンツを表示する表示手段と、を備え、前記広告サーバは、コンテンツサーバに広告を配信するタイミングを埋め込んだコンテンツを送信する第３の送信手段と、受信したコンテンツＩＤと端末ＩＤと前記周辺機器のＩＤとに基づいて前記個人情報サーバから広告コンテンツを検索する検索手段と、該検索した広告コンテンツを前記周辺機器に送信する第４の送信手段と、を備えることを特徴とする広告配信システムを提案している。
【００２５】
この発明によれば、Ｗｅｂサーバの第１の送信手段は、広告サーバにコンテンツを送信する。第１の受信手段は、広告サーバから広告を配信するタイミングを埋め込んだコンテンツを受信する。ダウンロード許可手段は、端末からコンテンツのダウンロード要求を受信し、広告を配信するタイミングを埋め込んだコンテンツのダウンロードを許可する。端末のダウンロード手段は、Ｗｅｂサーバから広告を配信するタイミングを埋め込んだコンテンツのダウンロードをする。通知手段は、周辺機器にコンテンツＩＤと端末ＩＤとともにコンテンツの起動通知を行う。周辺機器の第２の送信手段は、広告サーバにコンテンツＩＤと端末ＩＤと自己のＩＤとともにコンテンツの起動通知を送信する。第２の受信手段は、広告サーバから所定のタイミングで広告コンテンツを受信する。表示手段は、受信した広告コンテンツを表示する。広告サーバの第３の送信手段は、コンテンツサーバに広告を配信するタイミングを埋め込んだコンテンツを送信する。検索手段は、受信したコンテンツＩＤと端末ＩＤと周辺機器のＩＤとに基づいて個人情報サーバから広告コンテンツを検索する。第４の送信手段は、検索した広告コンテンツを周辺機器に送信する。したがって、ユーザが実行するコンテンツに広告表示機能を埋め込むことにより、Ｗｅｂブラウジングの際に、アプリケーションを動作させる機器以外の周辺に存在する機器を使用して広告を表示することができる。
【００２６】
（９）本発明は、コンテンツ配信事業者のコンテンツを保持するコンテンツサーバと、情報を送受信する端末と、前記端末側に存在し、情報を送受信する周辺機器と、ユーザ情報と前記周辺機器情報、コンテンツ情報、前記端末情報および前記情報に対応付けられたクーポンとを格納する個人情報サーバと、広告事業者が管理する広告サーバと、を備える広告配信システムであって、前記コンテンツサーバは、前記広告サーバにコンテンツを送信する第１の送信手段と、前記広告サーバからクーポンを配信するタイミングを埋め込んだコンテンツを受信する第１の受信手段と、前記端末からコンテンツのダウンロード要求を受信し、前記クーポンを配信するタイミングを埋め込んだコンテンツのダウンロードを許可するダウンロード許可手段と、を備え、前記端末は、前記コンテンツサーバから前記クーポンを配信するタイミングを埋め込んだコンテンツのダウンロードをするダウンロード手段と、前記周辺機器にコンテンツＩＤと端末ＩＤとともにコンテンツの起動通知を行う通知手段と、を備え、前記周辺機器は、前記広告サーバにコンテンツＩＤと端末ＩＤと自己のＩＤとともにコンテンツの起動通知を送信する第２の送信手段と、前記広告サーバから所定のタイミングでクーポンを受信する第２の受信手段と、該受信したクーポンを表示する表示手段と、を備え、前記広告サーバは、前記コンテンツサーバにクーポンを配信するタイミングを埋め込んだコンテンツを送信する第３の送信手段と、受信したコンテンツＩＤと端末ＩＤと前記周辺機器のＩＤとに基づいて前記個人情報サーバから広告コンテンツを検索する検索手段と、該検索したクーポンを前記周辺機器に送信する第４の送信手段と、を備えることを特徴とする広告配信システムを提案している。
【００２７】
この発明によれば、コンテンツサーバの第１の送信手段は、広告サーバにコンテンツを送信する。第１の受信手段は、広告サーバからクーポンを配信するタイミングを埋め込んだコンテンツを受信する。ダウンロード許可手段は、端末からコンテンツのダウンロード要求を受信し、クーポンを配信するタイミングを埋め込んだコンテンツのダウンロードを許可する。端末のダウンロード手段は、コンテンツサーバからクーポンを配信するタイミングを埋め込んだコンテンツのダウンロードをする。通知手段は、周辺機器にコンテンツＩＤと端末ＩＤとともにコンテンツの起動通知を行う。周辺機器の第２の送信手段は、広告サーバにコンテンツＩＤと端末ＩＤと自己のＩＤとともにコンテンツの起動通知を送信する。第２の受信手段は、広告サーバから所定のタイミングでクーポンを受信する。表示手段は、受信したクーポンを表示する。広告サーバの第３の送信手段は、コンテンツサーバにクーポンを配信するタイミングを埋め込んだコンテンツを送信する。検索手段は、受信したコンテンツＩＤと端末ＩＤと周辺機器のＩＤとに基づいて個人情報サーバから広告コンテンツを検索する。第４の送信手段は、検索したクーポンを前記周辺機器に送信する。したがって、ユーザが実行するコンテンツに広告表示機能を埋め込むことにより、アプリケーションを動作させる機器以外の周辺に存在する機器を使用してクーポンのようなアプリケーションの一部を配信することができる。
【００２８】
（１０）本発明は、コンテンツ配信事業者のコンテンツを保持するコンテンツサーバと、第３者が保有する端末と、周辺機器サーバと、周辺機器と、ユーザ情報と前記周辺機器ごとの情報、コンテンツ情報および前記情報に対応付けられた広告コンテンツとを格納する個人情報サーバと、広告事業者が管理する広告サーバと、を備える広告配信システムであって、前記端末は、前記広告サーバに前記周辺機器サーバのＩＤと推奨する広告コンテンツを登録する登録手段を備え、前記コンテンツサーバは、前記広告サーバにコンテンツを送信するとともに、該コンテンツに前記広告コンテンツを埋め込む要求を送信する第１の送信手段と、前記広告サーバから前記推奨された広告コンテンツを埋め込んだコンテンツを受信する第１の受信手段と、周辺機器サーバから前記推奨された広告コンテンツを埋め込んだコンテンツのダウンロード要求を受信し、前記推奨された広告コンテンツを埋め込んだコンテンツのダウンロードを許可するダウンロード許可手段と、を備え、前記周辺機器サーバは、前記コンテンツサーバから前記推奨された広告コンテンツを埋め込んだコンテンツをダウンロードするダウンロード手段と、周辺機器にコンテンツＩＤと前記周辺機器サーバのＩＤと自己のＩＤとを前記広告サーバに通知するよう指示する指示手段と、を備え、前記周辺機器は、前記広告サーバにコンテンツＩＤと前記周辺機器サーバのＩＤと自己のＩＤとを送信する第２の送信手段と、前記広告サーバから広告コンテンツを受信する第２の受信手段と、該受信した広告コンテンツを表示する表示手段と、を備え、前記広告サーバは、前記コンテンツサーバに前記推奨された広告コンテンツを埋め込んだコンテンツを送信する第３の送信手段と、受信したコンテンツＩＤと周辺機器サーバのＩＤと前記周辺機器のＩＤおよび前記推奨された広告コンテンツとに基づいて前記個人情報サーバから前記周辺機器を検索する検索手段と、該検索した周辺機器に前記推奨された広告コンテンツを送信する第４の送信手段と、を備えることを特徴とする広告配信システムを提案している。
【００２９】
この発明によれば、端末の登録手段は、前記広告サーバに周辺機器サーバのＩＤと推奨する広告コンテンツを登録する。コンテンツサーバの第１の送信手段は、広告サーバにコンテンツを送信するとともに、コンテンツに広告コンテンツを埋め込む要求を送信する。第１の受信手段は、広告サーバから推奨された広告コンテンツを埋め込んだコンテンツを受信する。ダウンロード許可手段は、周辺機器サーバから推奨された広告コンテンツを埋め込んだコンテンツのダウンロード要求を受信し、推奨された広告コンテンツを埋め込んだコンテンツのダウンロードを許可する。周辺機器サーバのダウンロード手段は、コンテンツサーバから推奨された広告コンテンツを埋め込んだコンテンツをダウンロードする。指示手段は、周辺機器にコンテンツＩＤと周辺機器サーバのＩＤと自己のＩＤとを広告サーバに通知するよう指示する。周辺機器の第２の送信手段は、広告サーバにコンテンツＩＤと周辺機器サーバのＩＤと自己のＩＤとを送信する。第２の受信手段は、広告サーバから広告コンテンツを受信する。表示手段は、受信した広告コンテンツを表示する。広告サーバの第３の送信手段は、コンテンツサーバに推奨された広告コンテンツを埋め込んだコンテンツを送信する。検索手段は、受信したコンテンツＩＤと周辺機器サーバのＩＤと周辺機器のＩＤおよび推奨された広告コンテンツとに基づいて個人情報サーバから前記周辺機器を検索する。第４の送信手段は、検索した周辺機器に推奨された広告コンテンツを送信する。したがって、ユーザが実行するコンテンツに広告業者ではない第三者が推奨する広告コンテンツを埋め込むことにより、アプリケーションを動作させる機器以外の周辺に存在する機器を使用して広告を表示することができる。
【００３０】
（１１）本発明は、コンテンツ配信事業者のコンテンツを保持するコンテンツサーバと、情報を送受信する端末と、前記端末側に存在し、情報を送受信する周辺機器と、ユーザ情報と前記周辺機器情報、コンテンツ情報、前記端末情報および前記情報に対応付けられた広告コンテンツとを格納する個人情報サーバと、広告事業者が管理する広告サーバと、を備える広告配信システムにおける広告配信方法であって、前記コンテンツサーバが、前記広告サーバにコンテンツを送信する第１のステップと、前記広告サーバが、前記コンテンツサーバに広告を配信するタイミングを埋め込んだコンテンツを送信する第２のステップと、前記端末が、前記コンテンツサーバから前記広告を配信するタイミングを埋め込んだコンテンツのダウンロードをする第３のステップと、前記端末が、前記周辺機器にコンテンツＩＤと端末ＩＤとともにコンテンツの起動通知を行う第４のステップと、前記周辺機器が、前記広告サーバにコンテンツＩＤと端末ＩＤと自己のＩＤとともにコンテンツの起動通知を送信する第５のステップと、前記広告サーバが、受信したコンテンツＩＤと端末ＩＤと前記周辺機器のＩＤとに基づいて前記個人情報サーバから広告コンテンツを検索する第６のステップと、前記周辺機器が、前記広告サーバから所定のタイミングで広告コンテンツを受信する第７のステップと、前記周辺機器が、該受信した広告コンテンツを表示する第８のステップと、を備えることを特徴とする広告配信方法を提案している。
【００３１】
この発明によれば、コンテンツサーバが、広告サーバにコンテンツを送信し、広告サーバが、コンテンツサーバに広告を配信するタイミングを埋め込んだコンテンツを送信する。端末は、コンテンツサーバから広告を配信するタイミングを埋め込んだコンテンツのダウンロードし周辺機器にコンテンツＩＤと端末ＩＤとともにコンテンツの起動通知を行う。周辺機器は、広告サーバにコンテンツＩＤと端末ＩＤと自己のＩＤとともにコンテンツの起動通知を送信する。広告サーバは、受信したコンテンツＩＤと端末ＩＤと周辺機器のＩＤとに基づいて個人情報サーバから広告コンテンツを検索する。周辺機器は、広告サーバから所定のタイミングで広告コンテンツを受信し、受信した広告コンテンツを表示する。したがって、ユーザが実行するコンテンツに広告表示機能を埋め込むことにより、アプリケーションを動作させる機器以外の、周辺に存在する機器を使用して広告を表示することができる。
【００３２】
（１２）本発明は、コンテンツ配信事業者のコンテンツを保持するコンテンツサーバと、情報を送受信する端末と、前記端末側に存在し、情報を送受信する周辺機器と、ユーザ情報と前記周辺機器情報、コンテンツ情報、前記端末情報および前記情報に対応付けられた広告コンテンツとを格納する個人情報サーバと、広告事業者が管理する広告サーバと、を備える広告配信システムにおける広告配信方法をコンピュータに実行させるためのプログラムであって、前記コンテンツサーバが、前記広告サーバにコンテンツを送信する第１のステップと、前記広告サーバが、前記コンテンツサーバに広告を配信するタイミングを埋め込んだコンテンツを送信する第２のステップと、前記端末が、前記コンテンツサーバから前記広告を配信するタイミングを埋め込んだコンテンツのダウンロードをする第３のステップと、前記端末が、前記周辺機器にコンテンツＩＤと端末ＩＤとともにコンテンツの起動通知を行う第４のステップと、前記周辺機器が、前記広告サーバにコンテンツＩＤと端末ＩＤと自己のＩＤとともにコンテンツの起動通知を送信する第５のステップと、前記広告サーバが、受信したコンテンツＩＤと端末ＩＤと前記周辺機器のＩＤとに基づいて前記個人情報サーバから広告コンテンツを検索する第６のステップと、前記周辺機器が、前記広告サーバから所定のタイミングで広告コンテンツを受信する第７のステップと、前記周辺機器が、該受信した広告コンテンツを表示する第８のステップと、をコンピュータに実行させるためのプログラムを提案している。
【００３３】
この発明によれば、コンテンツサーバが、広告サーバにコンテンツを送信し、広告サーバが、コンテンツサーバに広告を配信するタイミングを埋め込んだコンテンツを送信する。端末は、コンテンツサーバから広告を配信するタイミングを埋め込んだコンテンツのダウンロードし周辺機器にコンテンツＩＤと端末ＩＤとともにコンテンツの起動通知を行う。周辺機器は、広告サーバにコンテンツＩＤと端末ＩＤと自己のＩＤとともにコンテンツの起動通知を送信する。広告サーバは、受信したコンテンツＩＤと端末ＩＤと周辺機器のＩＤとに基づいて個人情報サーバから広告コンテンツを検索する。周辺機器は、広告サーバから所定のタイミングで広告コンテンツを受信し、受信した広告コンテンツを表示する。したがって、ユーザが実行するコンテンツに広告表示機能を埋め込むことにより、アプリケーションを動作させる機器以外の、周辺に存在する機器を使用して広告を表示することができる。
【発明の効果】
【００３４】
本発明によれば、例えば、端末用アプリとセットで販売したいＳＴＢコンテンツも、ユーザの家庭内の機器構成を把握し、アプリケーションを動作する機器の周囲の家電で容易に表示することで、ユーザに対して提示することが可能になり、ユーザの併売を誘発することが期待できるという効果がある。
【図面の簡単な説明】
【００３５】
【図１】本発明の第１の実施形態に係るシステム構成図である。
【図２】本発明の個人情報サーバ内に格納されるデータ例である。
【図３】本発明の広告サーバにおける広告選択処理についてフローである。
【図４】本発明の第１の実施形態に係るシステムの処理フローである。
【図５】本発明の第２の実施形態に係るシステム構成図である。
【図６】本発明の第２の実施形態に係るコンテンツ内へのポイント埋め込み例を示す図である。
【図７】本発明の第３の実施形態に係るシステム構成図である。
【図８】本発明の第４の実施形態に係るシステム構成図である。
【図９】本発明の第５の実施形態に係るシステム構成図である。
【図１０】本発明の第６の実施形態に係るシステム構成図である。
【図１１】本発明の第７の実施形態に係るシステム構成図である。
【図１２】本発明の第８の実施形態に係るシステム構成図である。
【発明を実施するための形態】
【００３６】
以下、図面を用いて、本発明の実施形態について詳細に説明する。なお、本実施形態における構成要素は適宜、既存の構成要素等との置き換えが可能であり、また、他の既存の構成要素との組み合わせを含むさまざまなバリエーションが可能である。したがって、本実施形態の記載をもって、特許請求の範囲に記載された発明の内容を限定するものではない。
【００３７】
＜第１の実施形態＞
図１から図４を用いて、本発明の第１の実施形態について説明する。
【００３８】
＜広告配信システムの構成＞
本実施形態に係る広告配信システムは、図１に示すように、コンテンツサーバ１００と、携帯端末２００と、周辺機器３００と、広告サーバ４００と、個人情報サーバ５００とから構成されている。
【００３９】
なお、携帯端末２００と周辺機器３００とは互いを数十メートル程度に位置させた状態で有線または無線で接続され、例えば、イーサネット（登録商標）ワーク、Ｂｌｕｅｔｏｏｔｈ（登録商標）ネットワークやＷｉＦｉ（Ｗｉｒｅｌｅｓｓ  Ｆｉｄｅｌｉｔｙ）無線ネットワーク等の通信ネットワークで接続される。その他の各装置間は、例えばインターネット等の通信ネットワークで接続される。第１の実施形態では、携帯端末２００と周辺機器３００とは、例えば、Ｂｌｕｅｔｏｏｔｈのペアリング機能を用いて、予め互いにアクセスできるようになっている。
【００４０】
また、本実施形態においては、携帯端末２００は携帯電話機とするが、携帯端末２００は通信機能を有していれば良く、例えば、ＰＨＳ、ＰＤＡ、ＰＣ、ゲーム機等であっても良い。
【００４１】
また、コンテンツは、ウェブページ、ウェブサイト、映画、テレビジョン番組、ビデオプログラム、写真、絵画および図表等の映像データ、ゲームおよびソフトフェア等であっても良い。一方、コンテンツに関する情報とは、コンテンツの格納先を示すＵＲＬやＩＰアドレス等である。
【００４２】
コンテンツサーバ１００は、コンテンツ配信事業者のコンテンツを保持するサーバであり、広告サーバ４００にコンテンツを送信するとともに、広告サーバ４００から広告を配信するタイミングを埋め込んだコンテンツを受信する。また、携帯端末２００からコンテンツのダウンロード要求を受信し、広告を配信するタイミングを埋め込んだコンテンツのダウンロードを許可する。
【００４３】
携帯端末２００は、情報を送受信する端末であり、コンテンツサーバ１００から広告を配信するタイミングを埋め込んだコンテンツのダウンロードし、周辺機器３００にコンテンツＩＤと端末ＩＤとともにコンテンツの起動通知を行う。
【００４４】
周辺機器３００は、携帯端末２００側に存在し、情報を送受信する機器であり、広告サーバ４００にコンテンツＩＤと端末ＩＤと自己のＩＤとともにコンテンツの起動通知を送信し、広告サーバ４００から所定のタイミングで広告コンテンツを受信して、受信した広告コンテンツを表示する。
【００４５】
広告サーバ４００は、広告事業者が管理するサーバであり、コンテンツサーバ１００に広告を配信するタイミングを埋め込んだコンテンツを送信し、受信したコンテンツＩＤと端末ＩＤと周辺機器３００のＩＤとに基づいて個人情報サーバ５００から広告コンテンツを検索する。また、検索した広告コンテンツを周辺機器３００に送信する。
【００４６】
ここで、広告サーバ４００における広告選択処理の一例を図２を用いて説明する。まず、埋め込み対象のコンテンツの分析を行う（ステップＳ１０１）。ここでは、例えば、形態素解析を行い、単語レベルでの切り出しを行い、対象コンテンツと類似度の高いコンテンツを選択する。次に、ユーザのプロファイルとのマッチングを行い、最適な広告を選択する（ステップＳ１０２）。そして、ユーザが保持する機器の情報を取得し（ステップＳ１０３）、保持する機器を対象とした広告を選択する（ステップＳ１０４）。最後に、これらのうち、最初に選択した広告と類似度の高い広告を選択する（ステップＳ１０５）。
【００４７】
個人情報サーバ５００は、ユーザ情報と周辺機器情報、コンテンツ情報、端末情報および情報に対応付けられた広告コンテンツとを格納するサーバである。個人情報サーバ５００には、図３（Ａ）に示すように、ユーザ情報（図中、ユーザＡ、ユーザＢ、ユーザＣ）と機器ＩＤ、ユーザＩＤ、許可リスト、プロフィール等が関連づけられて格納されている。また、機器ＩＤは、図３（Ｂ）に示すように、機器識別子と固有識別子とから構成されている。
【００４８】
＜広告配信システムの処理＞
図４を用いて、本実施形態に係る広告配信システムの処理について説明する。
コンテンツサーバ１００が、広告サーバ４００にコンテンツを送信し（ステップＳ２０１）、広告サーバ４００が、コンテンツサーバ１００に広告を配信するタイミングを埋め込んだコンテンツを送信する（ステップＳ２０２）。
【００４９】
携帯端末２００は、コンテンツサーバ１００から広告を配信するタイミングを埋め込んだコンテンツのダウンロードし（ステップＳ２０３）、周辺機器３００にコンテンツＩＤと端末ＩＤとともにコンテンツの起動通知を行う（ステップＳ２０４）。また、周辺機器３００は、広告サーバ４００にコンテンツＩＤと端末ＩＤと自己のＩＤとともにコンテンツの起動通知を送信する（ステップＳ２０５）。
【００５０】
広告サーバ４００は、受信したコンテンツＩＤと端末ＩＤと周辺機器３００のＩＤとに基づいて個人情報サーバ５００から広告コンテンツを検索し（ステップＳ２０６）、周辺機器３００は、広告サーバ４００から所定のタイミングで広告コンテンツを受信して（ステップＳ２０７）、受信した広告コンテンツを表示する（ステップＳ２０８）。
【００５１】
なお、周辺機器３００が複数ある場合に、携帯端末２００は、すべての周辺機器３００にコンテンツの起動通知を行い、すべての周辺機器３００は、広告サーバ４００に対して、コンテンツＩＤと端末ＩＤと自己のＩＤとを送信する。これにより、周辺機器が複数ある場合に、各周辺機器に最適な広告を表示することができる。
【００５２】
以上説明したように、本実施形態によれば、ユーザが実行するコンテンツに広告表示機能を埋め込むことにより、アプリケーションを動作させる機器以外の、周辺に存在する機器を使用して広告を表示することができる。
【００５３】
＜第２の実施形態＞
図５、図６を用いて、本発明の第２の実施形態について説明する。なお、本実施形態における広告配信システムは、コンテンツに埋め込まれたポイントごとに広告を表示するものである。
【００５４】
＜広告配信システムの構成＞
本実施形態に係る広告配信システムは、図５に示すように、コンテンツサーバ１００と、携帯端末２１０と、周辺機器３１０と、広告サーバ４１０と、個人情報サーバ５００とから構成されている。なお、第１の実施形態と同一の符号を付す構成要素については、同一の機能を有することから、その詳細な説明は省略する。
【００５５】
広告サーバ４１０は、コンテンツサーバ１００に広告を配信するタイミングをプログラムステップ中の所定のポイントとして埋め込む。携帯端末２１０は、プログラムステップ中の所定のポイント番号を通知する。周辺機器３１０は、プログラムステップ中の所定のポイント番号を送信する。
【００５６】
図６にコンテンツ内のポイント埋め込み例を示す。この例では、初期化関数において、周辺機器のＩＤを取得して、メイン関数の特定のポイントにおいて広告をサーバから取得するようになっている。
【００５７】
以上説明したように、本実施形態によれば、コンテンツに埋め込まれたポイントごとに広告を表示することができる。
【００５８】
＜第３の実施形態＞
図７を用いて、本発明の第３の実施形態について説明する。なお、本実施形態における広告配信システムは、予め家庭内の周辺機器構成を把握しておき、適切な広告を埋め込み、表示するものである。
【００５９】
＜広告配信システムの構成＞
本実施形態に係る広告配信システムは、図７に示すように、コンテンツサーバ１１０と、周辺機器３２０と、広告サーバ４２０と、個人情報サーバ５１０と、周辺機器サーバ６００とから構成されている。なお、第１の実施形態と同一の符号を付す構成要素については、同一の機能を有することから、その詳細な説明は省略する。
【００６０】
コンテンツサーバ１１０は、広告サーバ４２０にコンテンツを送信するとともに、コンテンツに周辺機器３２０ごとに最適な広告コンテンツを埋め込む要求を送信し、広告サーバ４２０から周辺機器３２０ごとに最適な広告コンテンツを埋め込んだコンテンツを受信する。また、周辺機器サーバ６００から周辺機器３２０ごとに最適な広告コンテンツを埋め込んだコンテンツのダウンロード要求を受信し、周辺機器３２０ごとに最適な広告コンテンツを埋め込んだコンテンツのダウンロードを許可する。
【００６１】
周辺機器サーバ６００は、コンテンツサーバ１１０から周辺機器３２０ごとに最適な広告コンテンツを埋め込んだコンテンツをダウンロードし、周辺機器３２０にコンテンツＩＤと周辺機器ＩＤと周辺機器サーバ６００とを広告サーバ４２０に通知するよう指示する。
【００６２】
周辺機器３２０は、広告サーバ４２０にコンテンツＩＤと周辺機器サーバ６００のＩＤと周辺機器３２０のＩＤとを送信する。また、広告サーバ４２０から広告コンテンツを受信し、受信した広告コンテンツを表示する。
【００６３】
広告サーバ４２０は、コンテンツサーバ１１０に周辺機器３２０ごとに最適な広告コンテンツを埋め込んだコンテンツを送信する。また、受信したコンテンツＩＤと周辺機器サーバ６００のＩＤと周辺機器３２０のＩＤとに基づいて個人情報サーバ５１０から周辺機器３２０ごとに最適な広告コンテンツを検索し、検索した広告コンテンツをそれぞれの周辺機器３２０に送信する。
【００６４】
以上説明したように、本実施形態によれば、家庭内の周辺機器の構成を予め把握して、コンテンツに広告を埋め込むことにより、周辺機器ごとに最適な広告を表示することができる。
【００６５】
＜第４の実施形態＞
図８を用いて、本発明の第４の実施形態について説明する。なお、本実施形態における広告配信システムは、予めアプリケーションに広告を埋め込むことにより、広告の表示スピードを早めることを意図したものである。
【００６６】
＜広告配信システムの構成＞
本実施形態に係る広告配信システムは、図８に示すように、コンテンツサーバ１１０と、周辺機器３３０と、広告サーバ４２０と、個人情報サーバ５１０と、周辺機器サーバ６１０とから構成されている。なお、第１の実施形態および第３の実施形態と同一の符号を付す構成要素については、同一の機能を有することから、その詳細な説明は省略する。
【００６７】
周辺機器サーバ６１０は、コンテンツサーバ１１０から周辺機器３３０ごとに最適な広告コンテンツを埋め込んだコンテンツをダウンロードし、ダウンロードしたコンテンツをアプリケーションに埋め込む。また、各周辺機器３３０に自己のサーバアドレス情報を送信し、各周辺機器３３０からのアクセス要求に対して、コンテンツを埋め込んだアプリケーションを送信する。
【００６８】
周辺機器３３０は、周辺機器サーバ６１０のサーバアドレスにアクセスし、コンテンツを埋め込んだアプリケーションを受信し、受信したアプリケーション内の広告コンテンツを表示する。
【００６９】
以上説明したように、本実施形態によれば、家庭内の周辺機器の構成を予め把握し、アプリケーションに広告を埋め込むことにより、周辺機器ごとに最適な広告を表示することができるとともに、広告表示のスピードを早めることができる。
【００７０】
＜第５の実施形態＞
図９を用いて、本発明の第５の実施形態について説明する。なお、本実施形態における広告配信システムは、アプリケーションの起動時に周辺のハードウェアを近距離無線によってスキャンすることによって、周囲お構成にあった最適な広告をそれぞれの聞きに表示することを意図したものである。
【００７１】
＜広告配信システムの構成＞
本実施形態に係る広告配信システムは、図９に示すように、周辺機器３４０と、広告サーバ４３０と、個人情報サーバ５２０と、周辺機器サーバ６２０と、アプリケーションサーバ７００とから構成されている。
【００７２】
アプリケーションサーバ７００は、広告サーバ４３０にアプリケーションを送信するとともに、アプリケーションプログラムの特定のステップにポイントを埋め込む要求を送信する。また、広告サーバ４３０からアプリケーションプログラムの特定のステップにポイントを埋め込んだアプリケーションを受信する。さらに、周辺機器サーバ６２０からアプリケーションプログラムの特定のステップにポイントを埋め込んだアプリケーションのダウンロード要求を受信し、周辺機器３４０ごとにアプリケーションのダウンロードを許可する。
【００７３】
周辺機器サーバ６２０は、アプリケーションサーバ７００からアプリケーションプログラムの特定のステップにポイントを埋め込んだアプリケーションをダウンロードする。また、アプリケーション起動時に、ハードウェアスキャンにより、周辺機器３４０のＩＤを取得し、取得した周辺機器３４０のＩＤを広告サーバ４３０に通知する。さらに、広告サーバ４３０から周辺機器３４０ごとのＩＤとポイント情報とを受信し、周辺機器３４０に自己のＩＤを広告サーバ４３０に通知するよう指示する。
【００７４】
周辺機器３４０は、周辺機器サーバ６２０の指示に応じて、広告サーバ４３０に自己のＩＤを送信する。そして、広告サーバ４３０から広告コンテンツを受信し、受信した広告コンテンツを表示する。
【００７５】
広告サーバ４３０は、アプリケーションサーバ７００に周辺機器３４０ごとのＩＤとポイント情報を送信する。また、周辺機器サーバ６２０から受信した周辺機器３４０のＩＤに基づいて個人情報サーバ５２０から周辺機器３４０ごとの広告コンテンツを検索する。さらに、周辺機器３４０のＩＤとポイント情報とを関連付けた情報を生成し、周辺機器サーバ６２０に送信する。
【００７６】
以上説明したように、本実施形態によれば、アプリケーションの起動時にハードウェアスキャンを行って、周辺機器を検索することにより、検索した周辺機器に最適な広告を表示することができる。
【００７７】
＜第６の実施形態＞
図１０を用いて、本発明の第６の実施形態について説明する。なお、本実施形態における広告配信システムは、Ｗｅｂブラウジングの際に、周辺機器に広告を配信することを意図したものである。
【００７８】
＜広告配信システムの構成＞
本実施形態に係る広告配信システムは、図１０に示すように、周辺機器３３０と、広告サーバ４００と、個人情報サーバ５００と、携帯端末２２０と、Ｗｅｂサーバ８００とから構成されている。なお、第１の実施形態および第４の実施形態と同一の符号を付す構成要素については、同一の機能を有することから、その詳細な説明は省略する。
【００７９】
Ｗｅｂサーバ８００は、広告サーバ４００にコンテンツを送信し、広告サーバ４００から広告を配信するタイミングを埋め込んだコンテンツを受信する。また、携帯端末２２０からコンテンツのダウンロード要求を受信し、広告を配信するタイミングを埋め込んだコンテンツのダウンロードを許可する。
【００８０】
携帯端末２２０は、Ｗｅｂサーバ８００から広告を配信するタイミングを埋め込んだコンテンツのダウンロードをする。また、周辺機器３３０にコンテンツＩＤと端末ＩＤとともにコンテンツの起動通知を行う。
【００８１】
以上説明したように、本実施形態によれば、ユーザが実行するコンテンツに広告表示機能を埋め込むことにより、Ｗｅｂブラウジングの際に、アプリケーションを動作させる機器以外の周辺に存在する機器を使用して広告を表示することができる。
【００８２】
＜第７の実施形態＞
図１１を用いて、本発明の第７の実施形態について説明する。なお、本実施形態における広告配信システムはクーポンのようなアプリケーションの一部を周辺機器に配信することを意図したものである。
【００８３】
＜広告配信システムの構成＞
本実施形態に係る広告配信システムは、図１１に示すように、コンテンツサーバ１００と、周辺機器３３０と、広告サーバ４４０と、個人情報サーバ５３０と、携帯端末２２０とから構成されている。なお、第１の実施形態、第４の実施形態および第６の実施形態と同一の符号を付す構成要素については、同一の機能を有することから、その詳細な説明は省略する。
【００８４】
広告サーバ４４０は、コンテンツサーバ１００にクーポンを配信するタイミングを埋め込んだコンテンツを送信し、受信したコンテンツＩＤと端末ＩＤと周辺機器のＩＤとに基づいて個人情報サーバ５３０から広告コンテンツを検索する。そして、検索したクーポンを周辺機器３３０に送信する。
【００８５】
個人情報サーバ５３０は、ユーザ情報と周辺機器情報、コンテンツ情報、端末情報および情報に対応付けられたクーポンとを格納する。
【００８６】
以上説明したように、本実施形態によれば、ユーザが実行するコンテンツに広告表示機能を埋め込むことにより、アプリケーションを動作させる機器以外の周辺に存在する機器を使用してクーポンのようなアプリケーションの一部を配信することができる。
【００８７】
＜第８の実施形態＞
図１２を用いて、本発明の第８の実施形態について説明する。なお、本実施形態における広告配信システムは広告業者ではない第三者が推奨する広告用コンテンツを埋め込んで周辺機器に配信することを意図したものである。
【００８８】
＜広告配信システムの構成＞
本実施形態に係る広告配信システムは、図１２に示すように、コンテンツサーバ１２０と、周辺機器３４０と、広告サーバ４５０と、個人情報サーバ５４０と、周辺機器サーバ６３０と、携帯端末９００とから構成されている。
【００８９】
携帯端末９００は、広告サーバ４５０に周辺機器サーバ６３０のＩＤと推奨する広告コンテンツを登録する。
【００９０】
コンテンツサーバ１２０は、広告サーバ４５０にコンテンツを送信するとともに、コンテンツに広告コンテンツを埋め込む要求を送信し、広告サーバ４５０から推奨された広告コンテンツを埋め込んだコンテンツを受信する。また、周辺機器サーバ６３０から推奨された広告コンテンツを埋め込んだコンテンツのダウンロード要求を受信し、推奨された広告コンテンツを埋め込んだコンテンツのダウンロードを許可する。
【００９１】
周辺機器サーバ６３０は、コンテンツサーバ１２０から推奨された広告コンテンツを埋め込んだコンテンツをダウンロードする。また、周辺機器３５０にコンテンツＩＤと周辺機器サーバのＩＤと自己のＩＤとを広告サーバ４５０に通知するよう指示する。
【００９２】
周辺機器３５０は、広告サーバ４５０にコンテンツＩＤと周辺機器サーバのＩＤと自己のＩＤとを送信し、広告サーバ４５０から広告コンテンツを受信する。また、受信した広告コンテンツを表示する。
【００９３】
広告サーバ４５０は、コンテンツサーバ１２０に推奨された広告コンテンツを埋め込んだコンテンツを送信する。また、受信したコンテンツＩＤと周辺機器サーバのＩＤと周辺機器のＩＤおよび推奨された広告コンテンツとに基づいて個人情報サーバから周辺機器３５０を検索し、検索した周辺機器３５０に推奨された広告コンテンツを送信する。
【００９４】
以上説明したように、本実施形態によれば、ユーザが実行するコンテンツに広告業者ではない第三者が推奨する広告コンテンツを埋め込むことにより、アプリケーションを動作させる機器以外の周辺に存在する機器を使用して広告を表示することができる。
【００９５】
なお、広告配信システムの処理をコンピュータ読み取り可能な記録媒体に記録し、この記録媒体に記録されたプログラムを広告配信システムを構成する各機器に読み込ませ、実行することによって本発明の広告配信システムを実現することができる。ここでいうコンピュータシステムとは、ＯＳや周辺装置等のハードウェアを含む。
【００９６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００９７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００９８】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００９９】
１００；コンテンツサーバ
１１０；コンテンツサーバ
１２０；コンテンツサーバ
２００；携帯端末
２１０；携帯端末
２２０；携帯端末
９００；携帯端末
３００；周辺機器
３１０；周辺機器
３２０；周辺機器
３３０；周辺機器
３４０；周辺機器
３５０；周辺機器
４００；広告サーバ
４１０；広告サーバ
４２０；広告サーバ
４３０；広告サーバ
４４０；広告サーバ
４５０；広告サーバ
５００；個人情報サーバ
５１０；個人情報サーバ
５２０；個人情報サーバ
５３０；個人情報サーバ
５４０；個人情報サーバ
６００；周辺機器サーバ
６１０；周辺機器サーバ
６２０；周辺機器サーバ
６３０；周辺機器サーバ
７００；アプリケーションサーバ
８００；Ｗｅｂサーバ
【図１】
0005432845.tif 000002
【図２】
0005432845.tif 000003
【図３】
0005432845.tif 000004
【図４】
0005432845.tif 000005
【図５】
0005432845.tif 000006
【図６】
0005432845.tif 000007
【図７】
0005432845.tif 000008
【図８】
0005432845.tif 000009
【図９】
0005432845.tif 000010
【図１０】
0005432845.tif 000011
【図１１】
0005432845.tif 000012
【図１２】
0005432845.tif 000013